(57)【特許請求の範囲】
【請求項１】
少なくとも前後一対の針床と、それら針床の編針に編糸を給糸する給糸口とを有し、かつ当該編針に係止される編目を別の編針に目移しが可能な横編機を用いて、ベース部と、このベース部の編幅方向に沿ってベース部の一面側に一体に編成される筒状部と、を備える編地を編成するための編地の編成方法であって、
前記筒状部を往復編成により形成するにあたり、前記筒状部の内部に後から挿入する後入れ部材が筒状部から脱落することを抑制する脱落抑制部の形成工程を備え、
その脱落抑制部の形成工程では、脱落抑制部の筒径を小さくするように、編幅方向の編目の形成位置が互いに異なる少なくとも２種類の編目列編成をそれぞれ１回以上行うことを特徴とする編地の編成方法。
【請求項２】
前記筒状部を往復編成により形成するにあたり、前記筒状部へ後入れ部材を入れ易くする部材挿入部の形成工程を備え、
その部材挿入部の形成工程では、少なくとも１回のミス編成を行うことを特徴とする請求項１に記載の編地の編成方法。
【請求項３】
前記脱落抑制部の形成工程では、ウエール方向に連続する２回の編目列編成を一単位として繰り返し、
その繰り返しの際、編幅方向に１回目の編目列編成の編目と２回目の編目列編成の編目とを交互に配置することを特徴とする請求項１または２に記載の編地の編成方法。
【請求項４】
前記筒状部は、弾性糸を用いて編成することを特徴とする請求項１〜３のいずれか一項に記載の編地の編成方法。
【請求項５】
ベース部と、ベース部の一面側に一体に編成された筒状部と、を備え、
少なくとも前後一対の針床と、それら針床の編針に編糸を給糸する給糸口とを有し、かつ当該編針に係止される編目を別の編針に目移しが可能な横編機を用いて編成された編地であって、
前記筒状部は、その筒状部の編幅方向の所定範囲に亘って形成される部分であり、前記筒状部に後から挿入する後入れ部材が前記筒状部から脱落することを抑制する脱落抑制部を備え、
前記脱落抑制部は、編幅方向の編目の形成位置の全てが互いに異なる複数の編目列が、表裏に重複する部分を有し、
当該脱落抑制部の筒径は、脱落抑制部以外の部分の筒径よりも小さいことを特徴とする編地。
【請求項６】
前記筒状部は、筒状部へ後入れ部材を挿入し易くする部材挿入部を備え、
前記部材挿入部は、ミス編成により形成された部分を有していることを特徴とする請求項５に記載の編地。
【発明の詳細な説明】
【技術分野】
【０００１】
本発明は、ベース部と、そのベース部の一面側に一体に編成される筒状部と、を備える編地の編成方法、およびその編成方法で得られた編地に関する。
【背景技術】
【０００２】
従来から、ベース部と、そのベース部の一面側に一体に形成される突起部と、を備える編地を編成することが行われている。例えば、特許文献１の図１には、筒状に編成されるベース部と、その筒外周面に一体に編成された突起部と、を備えるサポーター（編地）が開示されており、同文献の図２〜３にはその編成方法も開示されている。
【０００３】
ここで、上記突起部を筒状とし、その筒状部の内部に後から部材を挿入できるようにすることも行われている。例えば、サポーターに筒状部を形成し、その筒状部の内部にラバー棒（後入れ部材）を挿入することで、サポーターの機能を向上させることができる。
【先行技術文献】
【特許文献】
【０００４】
【特許文献１】特許第４３５３７６５号公報
【発明の概要】
【発明が解決しようとする課題】
【０００５】
しかし、従来のサポーター（編地）に形成される筒状部では、筒状部の内部からラバー棒（後入れ部材）が飛び出さないように、筒状部の両端開口部を縫製により閉じるなどの作業が必要であった。
【０００６】
本発明は、上記事情に鑑みてなされたものであり、ベース部の一面側に一体に筒状部を編成するにあたり、その筒状部に一旦挿入した後入れ部材が筒状部から飛び出し難くなるように編成できる編地の編成方法、およびその編成方法により編成された編地を提供することを目的とする。
【課題を解決するための手段】
【０００７】
本発明編地の編成方法は、少なくとも前後一対の針床と、それら針床の編針に編糸を給糸する給糸口とを有し、かつ当該編針に係止される編目を別の編針に目移しが可能な横編機を用いて、ベース部と、このベース部の編幅方向に沿ってベース部の一面側に一体に編成される筒状部と、を備える編地を編成するための編地の編成方法である。本発明編地の編成方法では、前記筒状部を往復編成により形成するにあたり、前記筒状部の内部に後から挿入する後入れ部材が筒状部から脱落することを抑制する脱落抑制部の形成工程を備える。そして、その脱落抑制部の形成工程では、脱落抑制部の筒径を小さくするように、編幅方向の編目（本明細書では、タック目は編目に含まれない）の形成位置が互いに異なる少なくとも２種類の編目列編成をそれぞれ１回以上行うことを特徴とする。
【０００８】
ここで、本明細書における『編目列編成』とは、針床における編幅方向の所定範囲に複数の編目が係止されている場合、それら複数の編目のうち、一部の編目にのみ新たな編目を形成する編成をいう。例えば、後述する実施形態１の図２を用いて説明すると、Ｓ０では編針Ｅ〜Ｈの範囲には４つの編目が係止されているが、Ｓ１では編針Ｆ，Ｈにしか新たな編目を形成していない。また、Ｓ１でも編針Ｅ〜Ｈに４つの編目が係止されているが、Ｓ２では編針Ｅ，Ｇにしか新たな編目を形成していない。このように編幅方向に間隔をあけて編目を形成する編成が、本明細書における『編目列編成』である。なお、間隔は一定でなくても良いし、編目が編幅方向に連続する部分があっても良い。
【０００９】
本発明編地の編成方法の一形態として、前記筒状部を往復編成により形成するにあたり、前記筒状部へ後入れ部材を入れ易くする部材挿入部の形成工程を備えることが好ましい。その場合、当該部材挿入部の形成工程では、少なくとも１回のミス編成を行う。
【００１０】
本発明編地の編成方法の一形態として、前記脱落抑制部の形成工程では、ウエール方向に連続する２回の編目列編成を一単位として繰り返すことが好ましい。そして、その繰り返しの際、編幅方向に１回目の編目列編成の編目と２回目の編目列編成の編目とを交互に配置することが好ましい。
【００１１】
本発明編地の編成方法の一形態として、前記筒状部は、弾性糸を用いて編成することが好ましい。
【００１２】
一方、本発明編地は、ベース部と、ベース部の一面側に一体に編成された筒状部と、を備え、少なくとも前後一対の針床と、それら針床の編針に編糸を給糸する給糸口とを有し、かつ当該編針に係止される編目を別の編針に目移しが可能な横編機を用いて編成された編地である。この本発明編地に備わる筒状部は、その筒状部の編幅方向の所定範囲に亘って形成される部分であり、前記筒状部に後から挿入する後入れ部材が前記筒状部から脱落することを抑制する脱落抑制部を備える。そして、前記脱落抑制部は、編幅方向の編目の形成位置が互いに異なる複数の編目列が、表裏に重複する部分を有し、当該脱落抑制部の筒径は、脱落抑制部以外の部分の筒径よりも小さいことを特徴とする。
【００１３】
本発明編地の一形態として、前記筒状部は、筒状部へ後入れ部材を挿入し易くする部材挿入部を備えることが好ましい。その場合、前記部材挿入部は、ミス編成により形成された部分を有している。
【発明の効果】
【００１４】
本発明編地の編成方法によれば、筒状部から後入れ部材が脱落することを抑制する脱落抑制部を筒状部に編成することができる。その結果、従来必要であった作業である、筒状部に後入れ部材を挿入した後筒状部の開口部を縫製などで閉じる作業を省略することができる。
【００１５】
また、筒状編地の編幅内の所定範囲でミス編成を繰り返すことで、筒状部への後入れ部材の挿入を容易にする部材挿入部を備える本発明編地を編成できる。この部材挿入部には編目が形成されずに編糸が編幅方向に亘っているだけであるので、部材挿入部を引っ張れば、後入れ部材を挿入するための大きな隙間が部材挿入部にできる。そのため、部材挿入部からの後入れ部材の挿入が容易になる。
【図面の簡単な説明】
【００１６】
【図１】実施形態１に示す筒状に編成されたサポーターの筒内周面の部分拡大写真を示す図である。
【図２】図１に示すサポーターに備わる筒状部の編成工程図である。
【図３】図１とは異なる構成の筒状部を備えるサポーターの概略図であって、（Ａ）は部材挿入部がない筒状部、（Ｂ）は脱落抑制部が筒状部の中央部に形成された筒状部、（Ｃ）は筒状部の一端が閉口している筒状部を備えるサポーターの概略図である。
【発明を実施するための形態】
【００１７】
＜実施形態１＞
以下、左右方向に延び、かつ前後方向に互いに対向する前後一対の針床と、前後の針床間で編目の目移しが可能な２枚ベッド横編機を用いて、図１の写真に示すサポーターを編成する場合を例にして説明する。なお、使用する横編機は４枚ベッド横編機であっても良い。
【００１８】
図１に示すサポーター１は、筒状に形成されるベース部２と、ベース部２の筒内周面に一体に形成される複数の筒状部３を備える。ベース部２は、非弾性糸と弾性糸を引き揃えて編成するプレーティング編成により編成されており、適度な伸縮性と強度を兼ね備えている。一方、筒状部３は、弾性糸によってのみ形成されており、強い伸縮性を備えている。筒状部３を弾性糸のみで形成することで、筒状部３が大きく膨出したようになることを抑制できるし、後述するように筒状部３の内部に挿入した後入れ部材が筒状部３から脱落することを抑制できる。
【００１９】
本実施形態の筒状部３は、ベース部２の編幅方向に沿って伸びており、その両端部は開口している。また、この筒状部３は、編目の形成状態が互いに異なる筒本体部３１と、脱落抑制部３２と、部材挿入部３３とに分けることができる。本実施形態では、筒状部３の編幅方向の中間部に筒本体部３１が、同編幅方向の両端部に脱落抑制部３２，３２が、筒本体部３１と脱落抑制部３２，３２との間に部材挿入部３３，３３が配置されている。
【００２０】
筒本体部３１は、平編みにより編成された一様な筒径を有する部分であって、その長さは後入れ部材の長さと同じかそれ以上である。この筒本体部３１はリブ編みなどで編成しても良い。その場合も、筒本体部３１は一様な筒径とすることが好ましい。
【００２１】
脱落抑制部３２，３２は、筒状部３に挿入した後入れ部材が、筒状部３の両端部から飛び出して脱落することを抑制する部分である。この脱落抑制部３２，３２は、編幅方向の編目の形成位置が互いに異なる複数の編目列が、ウエール方向の同じ高さに並んだ部分を有している（後述する図２の編成工程図を参照）。そのため、脱落抑制部３２，３２の筒径は、筒本体部３１の筒径よりも小さくなっており、筒状部３の内部からの後入れ部材の飛び出しを抑制できる。つまり、脱落抑制部３２，３２が存在することにより、従来必要であった筒状部３からの後入れ部材の脱落を抑制する縫製作業を省略することができる。
【００２２】
部材挿入部３３，３３は、筒状部３へ後入れ部材を挿入し易くする部分である。部材挿入部３３はミス編成により編成されており、部材挿入部３３には編目がなく、筒本体部３１と脱落抑制部３２とを繋ぐ編糸が亘っているだけである。そのため、部材挿入部３３，３３の近傍を引っ張ると、部材挿入部３３に大きな隙間ができ、その隙間から筒状部３の筒本体部３１へ後入れ部材を容易に挿入できるようになる。また、筒状部３の内部に一旦挿入した後入れ部材を取り出すときにも、部材挿入部３３，３３の近傍を引っ張って隙間を開ければ、その隙間から後入れ部材を容易に取り出すことができる。ここで、部材挿入部３３を含む筒状部３全体が弾性糸により形成されているため、常時は、部材挿入部３３に大きな隙間は形成されない。そのため、部材挿入部３３，３３から後入れ部材が飛び出すことは殆どない。
【００２３】
次に、図２を参照して、図１に示す筒状部３の編成工程の一例を説明する。図２における「アルファベット＋数字」は工程番号を示す。図中のＡ〜Ｘは前針床（以下、ＦＢ）の編針を示す。また、図中の○は針床に係止される編目を、▽は給糸口を示す。なお、説明を分かり易くするため、後針床での編成は省略し、編針の数も実際の編成で使用する数より少なくして説明する。
【００２４】
Ｓ０には、ベース部２の編目が係止される状態が示されている。このＳ０の状態から、以降の往復編成により、ベース部２の編幅よりも狭い範囲（編針Ｅ〜Ｔ）に筒状部３を編成していく。筒状部３の編成にあたっては、図１に示す筒状部３を形成できるように、編幅方向の領域を区分して編成を行う。本実施形態では、編針Ｅ〜Ｈ，Ｑ〜Ｔを、脱落抑制部３２を形成するための第一領域、編針Ｉ，Ｐを、部材挿入部３３を形成するための第二領域、編針Ｊ〜Ｏを、筒本体部３１を形成するための残部領域とする。
【００２５】
まず、Ｓ１では、給糸口を紙面右方向に移動させる間に、編針Ｆ，Ｈ，Ｊ〜Ｏ，Ｑ，Ｓに編目を形成する。つまり、脱落抑制部３２を編成する第一領域（編針Ｅ〜Ｈ，Ｑ〜Ｔ）では編目列編成を行い、部材挿入部３３を編成する第二領域（編針Ｉ，Ｐ）では編目を形成しないミス編成を行い、筒本体部３１を編成する残部領域（編針Ｊ〜Ｏ）では平編みを行う。
【００２６】
次のＳ２では、給糸口を紙面左方向に移動させる間に、編針Ｔ，Ｒ，Ｏ〜Ｊ，Ｇ，Ｅに編目を形成する。つまり、このＳ２における第一領域（編針Ｅ〜Ｈ，Ｑ〜Ｔ）では、Ｓ１で編目を形成した編針Ｆ，Ｈ，Ｑ，Ｓ以外の編針Ｔ，Ｒ，Ｇ，Ｅに編目を形成する編目列編成を行っている。一方、筒本体部３１と部材挿入部３３，３３の編成については、Ｓ１と同様に行う。
【００２７】
以降、Ｓ３，Ｓ４に示すように、Ｓ１，Ｓ２と同様の編成を繰り返すことで、筒状部３を完成させることができる。ここで、筒状部３の筒本体部３１を編成する残部領域の編針Ｊ〜Ｏでは、ウエール方向に対し４回ずつ編目を形成しているが、脱落抑制部３２，３２を編成する第一領域の編針Ｅ〜Ｈ，Ｑ〜Ｔでは、ウエール方向に対し２回ずつしか編目を形成していない。そのため、脱落抑制部３２，３２では編幅方向の編目の形成位置が異なる２つの編目列がウエール方向のほぼ同じ高さで筒状部３の表裏に重複して並ぶことになり、筒本体部３１の筒径に比べて脱落抑制部３２の筒径は小さくなる。
【００２８】
なお、脱落抑制部３２，３２と部材挿入部３３，３３を編成する領域において常にＳ１，Ｓ２と同様の編成を行う必要はない。例えば、当該領域において、Ｓ１，Ｓ２と同様の編成を２〜３回繰り返すごとに平編みを１回行う、といったことを繰り返しても良い。
【００２９】
ここで、図２の編成工程図に示す脱落抑制部３２，３２の領域（第一領域）では、２種類の編目列編成を一単位として繰り返した。これに対して、３種類以上の編目列編成を一単位として繰り返しても良い。例えば、編針Ｃ〜Ｈを第一領域として規定し、編針Ｃ，Ｆに編目を形成する編目列編成と、編針Ｄ，Ｇに編目を形成する編目列編成と、編針Ｅ，Ｈに編目を形成する編目列編成と、を繰り返すことが挙げられる。その他、編目列編成にタック目を織り交ぜてもかまわない。例えば、図２のＳ１（Ｓ２）において、編針Ｅ，Ｇ，Ｒ，Ｔ（Ｆ，Ｈ，Ｑ，Ｓ）にタック目を形成しても良く、そうすることで、脱落抑制部３２，３２の強度を向上させることができる。その他、Ｓ２の後に、第一領域においてタック目を形成して、脱落抑制部３２，３２の強度を向上させても良い。例えば、Ｓ２の後に、編針Ｆ，Ｈ，Ｑ，Ｓにタック目、編針Ｊ〜Ｏに編目を形成してから、Ｓ３を行うと良い。
【００３０】
＜実施形態２〜４＞
実施形態１とは筒状部３における各部３１，３２，３３の位置が異なる実施形態２〜４を図３に基づいて説明する。
【００３１】
図３（Ａ）に示す実施形態２では、筒状部３の両端部に脱落抑制部３２，３２を形成し、残りの部分を筒本体部３１とした。つまり、筒状部３に部材挿入部３３は設けない。部材挿入部３３がなくとも、筒状部３の両端部が開口しているので、筒状部３内に後入れ部材を挿入することは可能である。この実施形態２の筒状部３でも、一旦、後入れ部材を筒状部３に挿入すれば、筒状部３の両端部に形成される筒径の小さな脱落抑制部３２，３２によって、後入れ部材を筒状部３から脱落し難くできる。
【００３２】
図３（Ｂ）に示す実施形態３では、筒状部３の両端部に部材挿入部３３，３３を、筒状部３の中間部に脱落抑制部３２を形成し、残りの部分を筒本体部３１とした。但し、紙面左側（紙面右側）の部材挿入部３３の左端（右端）には、編目が形成されており、それによって筒状部３の開口端が形成されている。この実施形態３の筒状部３でも、一旦、後入れ部材を筒状部３に挿入すれば、筒状部３の中間部に形成される筒径の小さな脱落抑制部３２によって後入れ部材が外周側から締め付けられるので、後入れ部材を筒状部３から脱落し難くできる。
【００３３】
なお、筒状部３の両端部に部材挿入部３３，３３を形成しているので、筒状部３の両端部が閉口するようにしても良く、当該両端部が閉口していても後入れ部材の挿入に支障はない。
【００３４】
図３（Ｃ）に示す実施形態４では、筒状部３の紙面右側端部に脱落抑制部３２と部材挿入部３３を形成し、残りの部分を筒本体部３１とした。また、筒状部３の紙面左側端部は閉口させた。この場合も、紙面右側端部の開口端、もしくは部材挿入部３３から後入れ部材を挿入することができ、一旦挿入した後入れ部材を筒状部３から脱落し難くできる。
【００３５】
なお、本発明の実施形態は、上述した実施形態に限定されるわけではなく、本発明の要旨を逸脱しない範囲で適宜変更することができる。実施形態１では、脱落抑制部３２の編成にあたり、Ｓ１の編目とＳ２の編目とが交互に規則正しく並ぶようにしたが、Ｓ１の編目とＳ２の編目を不規則に並べても良い。例えば、図２の編針Ａ〜Ｈを第一領域としたとき、Ｓ１で編針Ｂ，Ｃ，Ｅ，Ｆに編目を形成し、Ｓ２で編針Ａ，Ｄ，Ｇ，Ｈに編目を形成しても良い。
【符号の説明】
【００３６】
１  サポーター（編地）
２  ベース部
３  筒状部    ３１  筒本体部  ３２  脱落抑制部  ３３  部材挿入部
【図２】
0005800536.tif 000002
【図３】
0005800536.tif 000003
【図１】
0005800536.tif 000004